【手続補正書】
【提出日】平成19年11月12日(2007.11.12)
【手続補正１】
【補正対象書類名】特許請求の範囲
【補正対象項目名】全文
【補正方法】変更
【補正の内容】
【特許請求の範囲】
【請求項１】
上部及び下部と、外縁部と、前記下部から下方に拡張するベース・カニューレと、前記外縁部に配置された保持リムと、前記上部から上方に拡張するポートと、を含むほぼ円形のベースであって、前記ポートがベース・カニューレに対し流体連通状態にあり、前記ポートとは異なる材料よりなり、前記保持リムの上方に配置され、流体連通状態から前記ポートを封止するようになされた隔膜を含む、前記ベースと、
前記ベースの下部に取り付けられる接着剤層と、
前記ベースの上部の実質的に全てを覆いかつ前記上部に対して押圧され、前記保持リムの半径方向外周部においてベースに着脱可能に連結されるようになされた導入器キャップであって、前記導入器キャップが、上部及び下部と、前記下部から下方に拡張する針と、を含み、前記針が、前記ベースの上部の隔膜、及び前記ベースの下部のベース・カニューレを通って拡張するようになされ、それによって、取り付けられたベース及び導入器キャップが患者の皮膚に対して押圧されて、誘導針が皮膚を穿孔し、ベースの下部の接着剤層が皮膚と接触するようになされた、前記導入器キャップと、
上部及び下部を含む注入キャップであって、前記注入キャップが前記ベースから取り外された後で、ベースの上部に押圧されかつ前記上部を全体的に覆い、前記保持リムにおいてベースに着脱可能に取り付けられ、注入キャップに配置された足部ベースが前記保持リムの前記波形方向外周部よりも波形方向内方向にさらに延長するようになされ、上記注入キャップが、係合された状態で前記ベースに対して回転するようになされ、前記注入キャップが、前記注入キャップの下部から下方に拡張する注入カニューレと、前記注入カニューレと流体連通状態にある長尺可撓ルーメンと、を含み、前記注入カニューレが、前記注入キャップと前記ベースとが係合されて前記可撓性ルーメン及び注入キャップをベース・カニューレに対し流体連通状態にすると同時に、ベースの上部の隔膜を通って拡張するようになされる、前記注入キャップと、
を含む、輸液セット。
【請求項２】
前記導入器キャップが、前記キャップを容易に把持できるように少なくとも１つの略平坦な表面を含む、請求項１に記載の輸液セット。
【請求項３】
前記導入器キャップが、前記キャップを容易にはさんで、その形状を変化させ、キャップを前記ベースと着脱可能に係合可能にするための、少なくとも２つの略平坦な表面を含む、請求項２に記載の輸液セット。
【請求項４】
前記ベースが、前記ポート及びカニューレの間に配置される漏斗形状部を含む、請求項３に記載の輸液セット。
【請求項５】
前記漏斗形状部が、前記隔膜及びカニューレの間に配置される、請求項４に記載の輸液セット。
【請求項６】
前記導入器キャップ及び前記注入キャップがともに、これらキャップが互いに係合されて前記ベースに固定させるとき、前記ベース上のポートを取り囲むようになされた略円筒部を含む、請求項１に記載の輸液セット。
【請求項７】
前記注入キャップが、低位置形状且つ略ドーム形状の上部を含む、請求項１に記載の輸液セット。
【請求項８】
上部及び下部と、外縁部と、前記下部から下方に拡張するベース・カニューレと、前記上部から上方に拡張するポートと、を有する略円形ベースであって、前記ポートが前記ベース・カニューレと流体連通状態にあり、その上部若しくはその近傍に隔膜を含み、前記隔膜が前記ポートとは異なる材料よりなり、内部の流体連通状態から前記ポートを封止するようになされた、前記略円形ベースと、
前記ベースの上部の実質的に全てを覆い、前記上部と着脱可能に連結するようになされた略ドーム形状の導入器キャップであって、前記導入器キャップが、上部及び下部と、前記下部から下方に拡張する針と、を含み、前記針がベースの上部の隔膜及びベースの下部のベース・カニューレのそれぞれを通って拡張するようになされ、それによって、係合されたベース及び導入器キャップが患者の皮膚に押し付けられて、誘導針がその皮膚を穿孔し、ベースが皮膚と近接状態になるようになされた、前記略ドーム形状の導入器キャップと、
上部及び下部を含む低位置形状のドーム形状注入キャップであって、前記注入キャップが、ベースから取り外された後にベースの上部を全体的に覆いかつ前記上部と着脱可能に係合するようになされ、係合された状態でベースに対して自由に回転するように構成され、前記注入キャップが、前記注入キャップの下部から下方に拡張する注入カニューレと、前記注入カニューレと流体連通状態にある長尺可撓ルーメンと、を含み、前記注入カニューレが、前記注入キャップとベースとが係合されて前記可撓ルーメン及び前記注入キャップを前記ベース・カニューレと流体連通状態にすると同時に、前記ベースの上部にある隔膜を通って拡張するようになされた、前記低位置形状のドーム形状注入キャップと、
を含む輸液セット。
【請求項９】
前記導入器キャップが、前記キャップを容易に把持できるように少なくとも１つの略平坦な表面を含む、請求項８に記載の輸液セット。
【請求項１０】
前記導入器キャップが、前記キャップを容易にはさんでその形状を変化させ、前記キャップを前記ベースと着脱可能に係合可能にするために少なくとも２つの略平坦な表面を有する、請求項９に記載の輸液セット。
【請求項１１】
前記ベースが、前記ポート及びカニューレの間に配置される漏斗形状部を含む、請求項１０に記載の輸液セット。
【請求項１２】
前記漏斗形状部が、前記隔膜及びカニューレの間に配置される、請求項１１に記載の輸液セット。
【請求項１３】
前記導入器キャップ及び注入キャップがともに、両キャップが係合されて前記ベースに固定させるとき、ベース上のポートを取り囲むようになされた略円筒部を含む、請求項８に記載の輸液セット。
【請求項１４】
前記角膜がスリットを具備した、請求項１に記載の輸液セット。
【請求項１５】
前記角膜がスリットを具備した、請求項８に記載の輸液セット。
【請求項１６】
前記注入キャップは、前記ベースに連結された場合に、ベースの上面の実質的に全てを覆う、請求項１に記載の輸液セット。
【請求項１７】
前記注入キャップは、前記ベースに連結された場合に、ベースの上面の実質的に全てを覆う、請求項８に記載の輸液セット。
【請求項１８】
上部及び下部と、前記下部から下方に拡張するベース・カニューレと、前記上部から上方に拡張するポートと、を含むベースであって、前記ポートがベース・カニューレに対し流体連通状態にあり、流体連通状態から前記ポートを封止するようになされた隔膜を含む、前記ベースと、
上部と下部を有する注入キャップであって、ベースの上部に対して負う押圧されかつベースに着脱可能に連結されるようになされ、前記注入キャップと前記ベースが連結されている場合に、前記ベースに対して回転するようになされた前記チュウニュウキャップとを具備し、前記注入キャップが、
前記ベースに取り付けられる少なくとも１つの保持部材と、
前記注入キャップの下部から下方に延長している注入カニューレであって、前記注入キャップとベースとが連結されると前記ベースの上部で前記隔膜を貫通してベース・カニューレと流体連通状態となるようになされた前記注入カニューレと、
前記注入カニューレに隣接した前記注入キャップの下部における実質的に円筒状の案内部分であって、前記注入キャップの下部から前記注入ニューレを過ぎて下方に延長しており、前記ベースの前記ポートに対する前記注入キャップの位置合わせを容易にするように構成され、前記注入キャップが前記ベースに着脱可能に連結された場合に前記注入ニューレが前記隔壁の方へと向けられるようにし、前記ガイド部分の最下位の表面が前記少なくとも１つの保持部材の最下位の表面から上方に離間される、前記案内部分と、
を含む輸液セット。
【請求項１９】
前記案内部分が前記注入カニューレを取り囲んでいる、請求項１８に記載の輸液セット。
【請求項２０】
前記案内部分と前記カニューレとが実質的に同軸状である、請求項１８に記載の輸液セット。
【請求項２１】
前記ベースがリムをさらに具備し、かつ前記少なくとも１つの保持部材が前記ベースのリムに付着する、請求項１８に記載の輸液セット。
【請求項２２】
上部及び下部と、前記下部から下方に延長したベース・カニューレと、前記上部から上方に延長したポートを有するベースと、
上部及び下部を有する注入キャップであって、前記注入キャップの前記下部から下方に延長していて前記注入キャップを前記ポートに案内するようになされた略円筒状の壁を有する注入キャップを具備し、前記壁は、前記注入キャップの下部から下方に延長した注入カニューレよりも前記注入キャップの下部から下方に延長しており、前記注入キャップは、前記ベースに付着する少なくとも１つの保持部材を具備しており、前記壁の最下面が前記少なくとも１つの保持部材の最下面から上方に離間され、前記注入キャップは、前記ベースの上部に押圧されて前記ベースに着脱可能に連結されるようになされており、前記下方に延長した壁は、前記注入キャップが前記ベースに付着された場合に隔膜と隣接しており、前記注入カニューレは、前記注入キャップと前記ベースが係合すると前記ベースの上部において前記隔膜を貫通して前記注入カニューレを前記ベース・カニューレと流体連通状態とするようになされている、輸液セット。
【請求項２３】
前記ベースがリムをさらに具備している、請求項２２に記載の輸液セット。
【請求項２４】
前記注入キャップの前記少なくとも１つの保持部材は、前記注入キャップを前記リムにおいて前記ベースに付着させるように構成されている、請求項２３に記載の輸液セット。
【請求項２５】
前記少なくとも１つの保持部材が足部を具備している、請求項２４に記載の輸液セット。
【請求項２６】
前記注入キャップは、前記注入キャプを前記リムにおいて前記ベースに付着するように構成された少なくとも第２の保持部材をさらに具備している、請求項２４に記載の輸液セット。
【請求項２７】
上部及び下部と、前記下部から下方に延長したベース・カニューレと、リムと、前記上部から上方に延長したポートを具備したベースであって、前記ポートが前記ベース。カニューレと流体連通し、前記ポートが、前記ポートを通じた流体連通を禁止するようになされた隔膜を備えており、前記隔膜が前記ポートの上部エッジと略同一面にあり、前記ポートが略円筒状で前記隔膜の直径より若干大きい直径を有している前記ベースと、
前記ベースの上部に押圧されかつ前記リムにおいて前記ベースに着脱可能に連結されるようになされた導入器キャップであって、上部及び下部と、前記下部から下方に延長しており、前記ベースの上部において前記隔膜を貫通しかつ前記ベースの下部において前記ベース・カニューレを貫通して、前記ベースと導入器が連結されると患者の皮膚に押圧されて前記導入器の針が皮膚に突き刺さるようになされている前記導入器と、
上部及び下部を具備しており、前記ベースの上部に押圧されかつ前記リムにおいて前記ベースに着脱可能に連結されるようになされた注入キャップであって、前記注入キャップは前記ベースに連結された場合に前記ベースに対して回転するようになされており、前記注入キャップは前記下部から下方に延長した注入カニューレを具備しており、前記注入カニューレは前記注入キャップと前記ベースが係合した場合に前記ベースの上部において前記隔膜を貫通するようになされている前記注入キャップと、
を具備した輸液セット。
【請求項２８】
前記リムが切り欠き部を備えている、請求項２７に記載の輸液セット。
【請求項２９】
前記導入器キャップが、前記ベースのリムに連結するように構成された少なくとも１つの保持部材をさらに備えている、請求項２７に記載の輸液セット。
【請求項３０】
前記導入器キャップが、前記導入器キャップの上部から上方に延長している２つのタブをさらに具備しており、前記タブは、力が前記タブの少なくとも１つに加えられた場合に前記少なくとも１つの保持部材を前記リムから切り離すように構成されている、請求項２９に記載の輸液セット。
【請求項３１】
前記リムが前記ベースの半径方向の最外側周辺部に配置されている、請求項２７に記載の輸液セット。
【請求項３２】
前記導入器キャップは、前記ベースのリムに連結するように構成された少なくとも第２の保持部材をさらに具備している、請求項２９に記載の輸液セット。
【請求項３３】
前記保持部材が直径方向に対向している、請求項３２に記載の輸液セット。
【請求項３４】
上部及び下部と、前記下部から下方に延長したベース・カニューレと、前記下部に取り付けられた接着剤層と、前記上部から上方に延長していて前記ベース・カニューレと流体連通状態にあるポートと、前記ポート内に配置されていて、前記ポートを通じての流体連通を禁止するようになされ、前記ポートの上部と略同一面である隔膜とを具備しており、前記ポートの上部の表面領域が前記隔膜の露呈した表面領域より小さいベースと、
前記ベースの上部に押圧されかつ前記ベースに着脱可能に連結されるようになされた導入器キャップであって、上部及び下部と、前記下部から下方に延長した針とを備え、前記針が前記ベースの上部における前記隔膜と前記ベースの下部における前記ベース・カニューレとを貫通するようになされている前記導入キャップと、
上部及び下部を備え、前記ベースの下部に押圧されかつ前記ベースに着脱可能に付着されるようになされている注入キャップであって、前記注入キャップの下部から下方に延長した注入カニューレを備え、前記注入カニューレは、前記注入キャップとベースとが係合すると前記ベースの上部における前記隔膜を貫通して前記注入カニューレを前記ベース・カニューレと流体連通状態とするようになされている前記注入キャップと、
を具備した輸液セット。
【請求項３５】
前記接着剤層が、中央開口部を有しており、かつ前記ポートの上部が前記ポートの最上部である、請求項３４に記載の輸液セット。
【請求項３６】
前記注入キャップは、前記注入キャップと前記ベースとが着脱可能に付着された場合に、前記ベースに対して回転するようになされている、請求項３４に記載の輸液セット。
【請求項３７】
前記ベースが略円形である、請求項３４に記載の輸液セット。
【請求項３８】
前記隔膜が前記ポートの上部と同一面にある、請求項３４に記載の輸液セット。
【請求項３９】
前記ポート壁の上部の表面領域が前記隔壁、前記隔膜の露呈部分の表面領域よりも実質的に小さい、請求項３８に記載の輸液セット。
【請求項４０】
前記導入器キャップ又は前記注入キャップが、それの前記下部から下方に延長していて、前記キャップを前記ベースに対して向けるのを容易にする壁構造を有している、請求項３９に記載の輸液セット。
【請求項４１】
上部及び下部と、前記下部から下方に延長したベース・カニューレと、リムと、前記上部から上方に延長しており、流体が前記注入キャップを通じて注入されている場合に、前記ベース・カニューレと流体連通状態にあるポートと、前記ポートに固着されて、前記ポートを通じての流体連通を禁止するようになされた隔膜とを有しており、前記ポートの上面が実質的な水平面を有していないベースと、
上部と下部を有する注入キャップであって、前記リムにおいて前記ベースに着脱可能に連結されるようになされており、流体が前記注入キャップを通じて注入されている場合に前記ベースに対して回転するようになされており、前記注入キャップは、前記注入キャップの下部から下方に延長した注入カニューレを具備しており、前記ベースの上部において前記隔膜を貫通するようになされている注入キャップと、
を具備した輸液セット。
【請求項４２】
前記ベースが略円形である、請求項４１に記載の輸液セット。
【請求項４３】
前記リムが切り欠き部を備えている、請求項４１に記載の輸液セット。
【請求項４４】
前記リムが、前記ベースの外周の周りに延長している、請求項４１に記載の輸液セット。
【請求項４５】
前記切り欠き部が前記ベースの外周の周りに延長している、請求項４３に記載の輸液セット。
【手続補正２】
【補正対象書類名】明細書
【補正対象項目名】００１３
【補正方法】変更
【補正の内容】
【００１３】
図示のように、ハンドル部７２は一般に、フランジ７２の中心部を通って拡張する針保持部２２を有するフランジを含む。一実施の形態において、導入器キャップ６４は、誘導針６６が続いて挿入され固定されることができる管腔から成る針保持部２２によって形成される。別の方法として、誘導針６６は、当業者が利用できる種々のオーバーモールド工程の１つによって導入器キャップ６４の材料に成形されることができる。一実施の形態によると、針収容部２２はポート係合部７４の空洞８４内に部分的に拡張して、針６６が支持される方向に更に長くなる。針の支持された長さ（即ち、針収容部２２内で保持される針の長さ）は種々の長さの針に対して必要に応じて変更できる。例えば、約１インチの全長を有する針の場合、針収容部は、好ましくは約３／１６インチ乃至約５／１６インチの範囲内の長さを有する。
【手続補正３】
【補正対象書類名】明細書
【補正対象項目名】００３１
【補正方法】変更
【補正の内容】
【００３１】
一実施の形態において、軟質カニューレ５２は漏斗形状インサート１２４に固定されてもよく、このカニューレ／漏斗アセンブリはベース部材６０の漏斗形状部１２０に挿入されることができる。別の実施の形態では、軟質カニューレ５２は、要求に応じて漏斗形状部の管状下部１２２の内側面又は外側面においてベース部材６０の底面１１８から拡張するようにベース部材に直接固定されることもできる。
【手続補正４】
【補正対象書類名】明細書
【補正対象項目名】００３３
【補正方法】変更
【補正の内容】
【００３３】
自己密封式輸液経路を形成するために、隔膜１３０は一般に、封止位置側に付勢される略弾性材料から形成される。一実施の形態において、隔膜１３０は、シリコンやポリウレタン、若しくはポート６２に固定可能な他の適切な材料による成形ディスクから形成される。隔膜１３０をポート６２に固定することは、任意の適切な接着剤や結合プロセス、又はヒートシールや音波溶接などの他の固定プロセスによって達成することができる。別の実施の形態において、シリコーンやポリウレタンなどの好適な弾性材料、又は他の好適なエラストマー材料は、ポート６２（図６を参照）上の空洞１３２内に成形することもできる。さらに別の実施の形態において、隔膜１３０は、種々の機械式逆止弁、又は再封止可能な輸液経路を設けるように構成される他のシールに置き替えることもできる。別の実施の形態では、隔膜１３０及びベース部材６０の本体はともに、同じ略弾性材料から一体形成されることができる。
【手続補正５】
【補正対象書類名】明細書
【補正対象項目名】００３４
【補正方法】変更
【補正の内容】
【００３４】
一実施の形態によると、図８における例に示されるように、隔膜１３０は、熱ステーキングによってポート６２内に保持される略弾性材料による成形ディスクである。図のように、ポート壁１３６の一部は、隔膜１３０上に拡張し、隔膜１３０が配置される空洞１３２を取り囲むように設けられる。ポート壁１３６は、該ポート壁１３６の材料を、その溶融温度より低く但し該壁材料を軟化するには十分高い温度までわずかに加熱することによってヒートステーキングが行なわれる。いったんポート壁１３６の材料が軟化されると、わずかに半径方向内側に変形されることがあって、ポート６２の空洞１３２内に隔膜１３０を閉じ込めることになる。ヒートステーキング方法は、ポートの周囲にわたって均等に実行され、又は壁１３６の周囲に間隔を置いて実行されることができる。当業者は、隔膜を空洞１３２内に固定するために、上記したような接合や溶接などの代替方法もまた使用できることを認識するであろう。
【手続補正６】
【補正対象書類名】明細書
【補正対象項目名】００３７
【補正方法】変更
【補正の内容】
【００３７】
一実施の形態によれば、図１に示したような接着剤層５０は、ベース部材６０の底面に固定されることもできる。更に後述されるように、接着剤層５０は一般に、ベース部材６０が患者の皮膚に付着できるように構成されている。接着剤層５０は一般に、裏当て層１５０が設けられ、接着剤層５０の接着面１５２が患者の皮膚に安全に付着する能力を低下させ、注入位置における感染の危険を高める可能性がある埃、煤塵、及び他の汚染物質から接着剤層５０の接着面１５２を保護する。接着剤層５０は、好適な結合物質又は結合プロセスであれば、ベース部材６０の底面１１８に固定されることができる。たとえば、接着剤層は、接着剤又は他の結合剤でベース部材に接着されることができる。代替的方法として、接着剤層５０は、ヒートシール、音波溶接若しくは他の好適なプロセスによってもベース部材６０に結合されることができる。あるいはまた、ベース部材６０を患者の皮膚に接着する機能は、当業者に周知の他の手段によって実現することもできる。
【手続補正７】
【補正対象書類名】明細書
【補正対象項目名】００３９
【補正方法】変更
【補正の内容】
【００３９】
導入器キャップ６４のポート係合部７４は好ましくは、ベース部材６０のポート６２を取り囲むように適合される。これにより、導入器キャップ６４及びベース部材間に締まり嵌めが設けられる。この締まり嵌めは、ベース部材が振動したり、又は導入器キャップ６４に対して他の好ましくない動作を行なうことを防止したりするのに役立つことがある。こうした同様の効果は、更に後述されるように、注入キャップ５４との関連でも有利とされる。一実施の形態において、ポート係合部７４の内径は、ベース部材６０のポート６２よりも大きい約０．０２５インチ乃至約０．１インチである。所望の用途に応じて、別の実施の形態では、内径はこの範囲外にあってもよい。
【手続補正８】
【補正対象書類名】明細書
【補正対象項目名】００４７
【補正方法】変更
【補正の内容】
【００４７】
硬質カニューレ１７０は一般に、注入キャップ５４及びベース部材６０が組み立てられるときに、隔膜１３０内を少なくとも部分的に拡張するように構成される。このように、硬質カニューレ１７０は一般的に、ポート係合部７４の壁がベース部材６０の上面９２に接触するとき硬質カニューレ１７０が隔膜１３０内を少なくとも部分的に拡張することになる十分な距離だけポート係合部７４内に拡張するような大きさである。したがって、硬質カニューレ１７０の出口１７４及びポート係合部７４の下部エッジ１８２間の寸法「ｅ」は、ベース部材の上面９２及びポート６２における空洞１３２の底部間の寸法「ｊ」（図５参照）よりも小さいことが好ましい。別の実施の形態において、硬質カニューレ１７０が隔膜１３０内で部分的にのみ拡張するようなことが望ましいとされる場合、寸法「ｅ」が寸法「ｊ」と等しいか、又はそれより大きくてもよい。一つの好ましい実施の形態では、図１１に示すように、硬質カニューレ１７０は隔膜１３０の内部全体に拡張する。
【手続補正９】
【補正対象書類名】明細書
【補正対象項目名】００４９
【補正方法】変更
【補正の内容】
【００４９】
導入器キャップ６４と同様に、注入キャップ５４もまた、ベース部材６０との係合からキャップを解放するように圧縮可能なリリース・グリップ１００を構成することが好ましい。図１０に示される実施の形態において、リリース・グリップ１００は、ウィング９８及びかぎのある足部９４に対し約９０度で配置されるスカラップ凸面セグメントとして示される。リリース・グリップ１００は、ベース部材６０との係合からキャップ５４又は６４を解放するようにユーザの指によって係合されることができる。リリース・グリップ１００をつまむことによって、キャップ６４の円形形状は、楕円の長径に沿ってかぎのある足部９４とともに楕円形に変形される。ゆえに、リリース・グリップ１００でキャップ６４をはさむことにより、かぎのある足部を半径方向外側に、ベース部材６０のエッジから離間移動させ、それによって、キャップ６４をベース部材６０から解放する。代わりの実施の形態では、導入器キャップ６４のリリース・ギャップ１００及び／又は注入キャップ５４のリリース・グリップ１００は、平滑な凸面部、凹面部、あるいは種々の他の形状の１つから構成されることができる。
【手続補正１０】
【補正対象書類名】明細書
【補正対象項目名】００５３
【補正方法】変更
【補正の内容】
【００５３】
針６６及び軟質カニューレ５２が所望の深さまでいったん挿入されると、導入器キャップ６４は、ベース部材６０及び患者から除去することができる。ベース部材６０から導入器キャップ６４を除去するために、リリース・グリップ１００は、ユーザの指で係合され、圧縮されることができ、それによって、円形キャップを変形させ、かぎのある足部９４をベース部材６０のリム９６との係合から解除させることになる。代替的実施の形態では、リリース・グリップ１００は、補助的工具によって圧縮することもできる。更なる別の実施の形態では、導入器キャップ６４をベース部材から除去するためにリリース・グリップが別の方法で操作される（例えば、ねじ曲げられたり、離れて広げられる）ように、導入器キャップ６４を構成することができる。なお更なる実施の形態において、かぎのある足部９４は、上記したように省略することもでき、又は好適な代替的構造に置き替えてもよく、それによって、ユーザが導入器キャップ６４を外部に引き出すだけで針６６を除去することを可能にする。
【手続補正１１】
【補正対象書類名】図面
【補正対象項目名】図６
【補正方法】変更
【補正の内容】
【図６】
2007511325.tif 000001
【手続補正１２】
【補正対象書類名】図面
【補正対象項目名】図１４
【補正方法】変更
【補正の内容】
【図１４】
2007511325.tif 000002